(57)【要約】【課題】複雑な構造を採用することなく、安眠性をより高める機能を付加したすのこマットを提供せんとする。【解決手段】横方向に長い棒状の受板部材２，・・・を、縦方向に連結部材３を介して複数間隔をおいて並設してなり、縦方向に沿って受板部材２の上面高さが相対的に高い領域Ｒ１，Ｒ２，Ｒ３と低い領域Ｒ４，Ｒ５とを設けることにより、マット上面側に起伏面を形成した。高い領域は、それぞれ頭部側および足先側のマット両端部並びにマット略中央部に位置する単または複数連設される比較的厚みの大きい受板部材とこれに隣接する受板部材より構成される。【選択図】図３
2007282675.tif 000002
【特許請求の範囲】
【請求項１】
横方向に長い受板部材を、縦方向に連結部材を介して複数並設してなるすのこマットであって、
縦方向に沿って、各受板部材の上面高さが相対的に高い領域と低い領域とを設けたことを特徴とするすのこマット。
【請求項２】
前記高い領域を、少なくとも縦方向に沿った途中部に設けた請求項１記載のすのこマット。
【請求項３】
前記高い領域を、少なくとも縦方向に沿ったマット略中央部に設けた請求項２記載のすのこマット。
【請求項４】
前記高い領域を、頭部側および足先側のマット両端部、並びにマット略中央部に設けた請求項３記載のすのこマット。
【請求項５】
前記受板部材の上面の幅方向両端縁を面取り形状とした請求項１〜４の何れか１項に記載のすのこマット。
【請求項６】
前記受板部材の上面を断面視弓形の曲面に形成してなる請求項５記載のすのこマット。
【請求項７】
前記複数の受板部材のうち少なくとも一部の受板部材を、連結部材を介して縦方向位置を調整可能に設けてなる請求項１〜６の何れか１項に記載のすのこマット。
【請求項８】
少なくとも前記途中部の高い領域を構成している受板部材、およびその前後の低い領域を構成している受板部材を、連結部材を介して縦方向位置を調整可能に設けてなる請求項７記載のすのこマット。
【請求項９】
前記受板部材を、縦方向に延びる連結部材に対してスライド移動可能に設けるとともに着脱可能に固定してなる請求項７又は８記載のすのこマット。
【請求項１０】
前記受板部材の下面に複数の下駄材を設け、該下駄材と下面との間に形成した縦方向に貫通する取付孔に前記連結部材を挿通することにより、当該受板部材を前記連結部材に対してスライド移動可能に設けてなる請求項９記載のすのこマット。
【請求項１１】
前記連結部材として屈曲自在な帯体または索条を用い、ビス止めにより該連結部材を取付孔に対して着脱可能に固定してなる請求項１０記載のすのこマット。
【請求項１２】
上面高さが高い受板部材ほど幅広に設定してなる請求項１〜１１の何れか１項に記載すのこマット。
【発明の詳細な説明】
【技術分野】
【０００１】
本発明は、敷き布団などの寝具を載せる寝床用マットとして好適に用いられるすのこマットに関する。
【背景技術】
【０００２】
この種のすのこマットは、就寝中の布団のムレを防止するために布団の下に敷いて使用され、床面と敷き布団との間に空間を設けて通気性を良くし、安眠性を高めるために利用されており、これに関連する提案として、たとえば山形状の傾斜姿勢や折り畳み姿勢に変更や、傾斜姿勢の寝床用敷き板の上に布団を載せて布団干しとして使用でき、傾斜姿勢から折り畳み姿勢への姿勢変更のための操作を容易迅速に行うことができ、さらには人や物が傾斜姿勢の寝床用敷き板にぶつかったときでも、傾斜姿勢を維持できる寝床用のすのこマットも提案されている（例えば、特許文献１参照。）。
【０００３】
しかし、従来のいずれもすのこマットも、展張した使用状態においてその上面はフラットな水平面で構成されており、通気性を高めること以外に、安眠性に関して更なる付随効果が得られるものはなかった。
【０００４】
【特許文献１】特開２００５−２０５１７６号公報
【発明の開示】
【発明が解決しようとする課題】
【０００５】
そこで、本発明が前述の状況に鑑み、解決しようとするところは、複雑な構造を採用することなく、安眠性をより高める機能を付加したすのこマットを提供する点にある。
【課題を解決するための手段】
【０００６】
本発明は、前述の課題解決のために、横方向に長い受板部材を、縦方向に連結部材を介して複数並設してなるすのこマットであって、縦方向に沿って、受板部材の上面高さが相対的に高い領域と低い領域とを設けたことを特徴とするすのこマットを構成した。
【０００７】
ここで、前記高い領域は、好ましくは、少なくとも縦方向に沿った途中部に設けられ、より好ましくは、少なくとも縦方向に沿ったマット略中央部に設けられ、さらに好ましくは、頭部側および足先側のマット両端部、並びにマット略中央部に設けられる。
【０００８】
また、前記受板部材の上面の幅方向両端縁を面取り形状としたものが好ましく、具体的には、前記受板部材の上面を断面視弓形の曲面に形成したものが好ましい。
【０００９】
さらに、前記複数の受板部材のうち少なくとも一部の受板部材を、連結部材を介して縦方向位置を調整可能に設けたものが好ましく、より詳しくは、少なくとも途中部の高い領域を構成している受板部材、およびその前後の低い領域を構成している受板部材を、連結部材を介して縦方向位置を調整可能に設けたものが好ましい。
【００１０】
前記位置調整可能に設ける実施例としては、前記受板部材を、縦方向に延びる連結部材に対してスライド移動可能に設けるとともに着脱可能に固定したものが好ましい。
【００１１】
さらに、スライド移動可能に設ける実施例としては、前記受板部材の下面に複数の下駄材を設け、該下駄材と下面との間に形成した縦方向に貫通する取付孔に前記連結部材を挿通することにより、当該受板部材を前記連結部材に対してスライド移動可能に設けたものが好ましい。
【００１２】
また、前記連結部材として屈曲自在な帯体または索条を用い、ビス止めにより該連結部材を取付孔に対して着脱可能に固定することが好ましい。
【００１３】
また、上面高さが高い受板部材ほど幅広に設定することが好ましい実施例である。
【発明の効果】
【００１４】
以上にしてなる本願発明のすのこマットによれば、縦方向に沿って、受板部材の上面高さが相対的に高い領域と低い領域とからなる起伏を設けたので、就寝者に対する指圧効果、安眠効果が得られ、就寝中に腰痛や肩こり等をほぐすことができる。
【００１５】
また、この起伏により就寝者の背骨の形に応じて無理な力がかからないように体全体を支持することが可能となり、その意味では、高い領域を頭部側および足先側のマット両端部、並びにマット略中央部に設けることが効果的である。
【００１６】
また、各受板部材の上面の幅方向両端縁を面取り形状、具体的には断面視弓形の曲面に形成したので、起伏（高低差）により隣接する受板部材間で高さの違いが生じるにもかかわらず、各受板部材の上面に面接触する滑らかでやわらかい接触感のある起伏面が得られる。
【００１７】
また、少なくとも一部の受板部材を連結部材を介して縦方向位置を調整可能に設けたもの、とくに途中部の高い領域を構成している受板部材、およびその前後の低い領域を構成している受板部材を、連結部材を介して縦方向位置を調整可能に設けたので、身長や背骨の形の違いに応じた適切な位置に起伏を調節し、安眠効果を確保することができる。
【００１８】
また、位置調整可能に設ける手段として、受板部材を縦方向に延びる連結部材に対してスライド移動可能に設けるとともに着脱可能に固定したので、上記位置調整を容易に行うことができる。
【００１９】
また、スライド移動可能に設ける手段として、受板部材の下面に複数の下駄材を設け、該下駄材と下面との間に形成した縦方向に貫通する取付孔に前記連結部材を挿通することにより、当該受板部材を前記連結部材に対してスライド移動可能に設けたので、簡単な構造でコストを抑えたスライド構造が実現できる。
【００２０】
また、連結部材として屈曲自在な帯体または索条を用い、ビス止めにより該連結部材を取付孔に対して着脱可能に固定したので、すのこマットを使用しない場合に、渦巻き状に巻き付けたり折り曲げたコンパクトな収納状態にすることができ、嵩張らず、取扱いも簡単となる。
【００２１】
また、上面高さが高い受板部材ほど幅広に設定したので、就寝者に過度な刺激を与えず、耐久性も向上できる。
【発明を実施するための最良の形態】
【００２２】
次に、本発明の実施形態を添付図面に基づき詳細に説明する。
【００２３】
図１は、本発明に係るすのこマットの全体構成を示す斜視図であり、図１〜９は代表的実施形態を示し、図中符号１はすのこマット、２は受板部材、３は連結部材、４は下駄材をそれぞれ示している。
【００２４】
すのこマット１は、図１〜３に示すように、横方向に長い棒状の受板部材２，・・・を、縦方向に連結部材３を介して複数間隔をおいて並設してなり、縦方向に沿って受板部材２の上面高さが相対的に高い領域Ｒ１，Ｒ２，Ｒ３と低い領域Ｒ４，Ｒ５とを設けることにより、マット上面側に起伏面を形成し、その上に布団等の寝具を敷いて使用でき、寝る者に指圧効果や安眠効果を与えるものである。
【００２５】
すのこマット１を展張した使用状態における大きさは、頭部側から足先側に至る縦寸法Ｌ１が略１８００ｍｍ〜２２００ｍｍ、受板部材２の長さに等しい横寸法Ｌ２が略６００ｍｍ〜１１００ｍｍとされるが、とくにこの寸法に限定されるものではない。本例では同じ長さの受板部材２を平行に配設したが、異なる長さの受板部材を並設することも勿論可能である。
【００２６】
前記高い領域Ｒ１〜Ｒ３は、図３の縦断面図にも示すように、それぞれ頭部側および足先側のマット両端部並びにマット略中央部に位置する単又は複数連設される比較的厚み（高さ）の大きい受板部材２１，２１Ａ（２）とこれに隣接する受板部材２２より構成され、低い領域Ｒ４、Ｒ５は、前記高い領域Ｒ１，Ｒ２，Ｒ３の間に位置する複数の比較的厚み（高さ）の小さい受板部材２４より構成されている。
【００２７】
本例では厚みの異なる受板部材２１，２１Ａ，２２，２３，２４を連続的に配置し、緩やかに高い領域から低い領域に連続するように配置されているが、このような受板部材の種類の数や配置関係にはなんら限定されず、極端には１本の比較的厚みの大きい受板部材から高い領域を構成し、他の受板部材の配置位置を低い領域とすることも可能である。
【００２８】
なお、高い領域は少なくともマットの縦方向に沿った途中部に設けられることが好ましく、その途中部に設ける高い領域の数も、本例のようにマット略中央部に一つのみ設けること以外に、高い領域を複数設けてもよい。また、頭部側または足先側の一方または双方の高い領域を省略することも可能であり、逆に途中部には高い領域を設けることなく、頭部側または足先側の一方または双方のみに設けてもよい。
【００２９】
各受板部材２は、上記のとおり厚み（高さ）の異なる受板部材２１，２１Ａ，２２，２３，２４が用いられ、これらの配列により上記高い領域と低い領域が所定の位置に形成されている。素材としては、木、合成樹脂（硬質、軟質）、アルミニウム等の金属、複合繊維（カーボンなど）など種々の素材を用いることができる。
【００３０】
各受板部材２の上面２０の幅方向両端縁は面取り形状とされ、これにより本発明のように各受板部材２の高さ違いによりマット上面に起伏を設けても、角辺が突出せず、載置した布団が引っ掛かるような不都合が生じず、滑らかな起伏面が得られる。本例では、図４、５にも示すように、上面２０の両端縁だけでなく全体を断面視弓形の曲面に形成しており、これにより図５中仮想線で示すように高さ違いにもかかわらず各受板部材２の上面（曲面）に対して面接触する滑らかでやわらかい接触感のある起伏面Ｆが得られる。
【００３１】
より具体的には、各受板部材２は断面視略半円形状で構成されており、上面高さの違いはその半径の違いが反映されている。つまり、断面視の半径が大きいほど、上面高さも高く、幅広に構成されているのである。本例では、受板部材２１Ａの半径は略４５ｍｍ、受板部材２１の半径は略３５ｍｍ、受板部材２２の半径は略３０ｍｍ、受板部材２３の半径は略２５ｍｍ、受板部材２４の半径は略２０ｍｍに設定され、各部材の幅寸法はそれぞれ半径のほぼ倍の幅に構成されている。
【００３２】
各受板部材２の下面には、マット下面側に通風性を維持する間隙を設けるために、所定厚み（高さ）の扁平な下駄材４，…が横方向に間隔をあけて複数設けられている。各下駄材４は、図４、５に示すように、接着剤やビス等により受板部材下面に固定される下駄本体４０と、その下面に接着剤により固定されるウレタン等の発泡性合成樹脂や軟質合成樹脂などからなるクッション材４１とから構成されている。なお、クッション材４１を省略したり、あるいはクッション材のみで下駄材を構成することもできる。
【００３３】
これら下駄材４は、各受板部材２の下面の両端部、中央部、これらの間の合計５箇所にほぼ等間隔に配されており、その幅は受板部材２の幅に応じて、該幅と略同じに設定されている。各下駄材４の厚み（高さ）は、すべて同じ高さのものが用いられている。下駄材４の個数、位置関係及び大きさは、本例のものになんら限定されるものではない。
【００３４】
各受板部材２には、隣り合う受板部材の両端部間を縦方向に連結する一対の連結部材３，３が取付けられており、この連結部材３には屈曲自在な帯体または索条が用いられている。ここでは、所定幅の皮製または布製のベルトが採用され、各受板部材２の両端部に配される下駄材４，４と受板部材下面との間にそれぞれ挟み込むように介装するとともに、該下駄材４の下面側から連結部材３を貫通して受板部材２に螺合する複数のビス４４によって各受板部材２に固定されている。
【００３５】
なお、ベルトを下駄材４との間に介装するかわりに、下駄材４の位置しない受板部材下面に直接取り付けてもよい。また、ビス４４のかわりに、接着剤や針金等でベルトを固定することもできる。本例ではこのように屈曲自在の連結部材を用いて各受板部材２を連結したので、使用しない際には、図９に示すようにコンパクトに巻成したり或いは小幅に折り畳んでコンパクトに収納することができる。
【００３６】
本実施形態のすのこマット１では、図３に示すように、複数の受板部材２，…のうち少なくとも一部の受板部材、具体的にはマット略中央部の高い領域Ｒ２を構成している受板部材２１，２１Ａ，２２およびその前後の低い領域を構成している受板部材２３、２４が、連結部材３を介して縦方向位置を調整可能に設けられている。その他の受板部材２は、連結部材３に対して調整不能に固定されている。これにより、例えば図３（ｂ）および図８に示すように、調整可能に設けた各受板部材２を頭部側に寄せ、使用者の身体に応じて高い領域Ｒ２を頭部側に移動させたり、逆に移動させたりすることが可能とされている。
【００３７】
図６（ａ）は位置調整不能に連結部材３に固定された受板部材２の連結構造、図６（ｂ）は位置調整可能に固定された連結構造を示している。調整不能に連結する構造は、下駄本体４０と下面２５との間に形成した縦方向に貫通する取付孔４６に連結部材３を挿通し、下駄本体４の底面側から挿通して連結部材３を貫通し、受板部材２の下面２５に螺合する４本のビス４４で固定された上、さらに下駄本体４０の底面にクッション材４１を貼り付けたものである。
【００３８】
位置調整可能に固定する連結構造は、図６（ｂ）に示すように、下駄本体４０と下面２５との間に形成した縦方向に貫通する取付孔４５に連結部材３を挿通し、これにより受板部材２が連結部材３に対してスライド移動可能に設けられている。そして、取付孔４５に交差するビス４４により連結部材３が着脱可能に固定される。
【００３９】
このビス４４を挿通する下駄本体４０の底面には、取り付けたビス４４の頭部が床に当接しないように浅い凹部４２が切欠形成されており、該凹部４２を避けるように切欠溝４３が形成されたクッション材４１が下駄本体４０の底面に貼り付けられている。これにより、ビス４４で一度固定した後、いつでもビス４４を緩めて連結部材３の固定状態を解除し、再度位置調整できるように着脱可能に構成されている。
【００４０】
本例では、下駄材４つきの各受板部材２にベルトを挿通して位置調整可能に連結したが、ベルトの代わりに縦方向に延びる棒状またはパイプ状の部材を挿通して構成したものや、下駄材４のかわりに各受板部材２に亘る縦方向に延びる棒状または板状の桟を設け、該桟に対して一部の受板部材を移動可能に装着したものでもよい。また、連結部材に対して全ての受板部材を位置調整不能に予め固定したものでもよい。さらに、本例では連結部材３として縦方向に延びる２本のベルトを用いたが、連結部材３の本数や長さは特に限定されず、隣り合う受板部材２，２の間を独立した連結部材で連結してゆくものも好ましい。
【００４１】
以上本発明の実施形態について説明したが、本発明はこうした実施例に何ら限定されるものではなく、本発明の要旨を逸脱しない範囲において種々なる形態で実施し得ることは勿論である。
【図面の簡単な説明】
【００４２】
【図１】本発明に係るすのこマットの全体構成を示す斜視図。
【図２】同じく平面図。
【図３】（ａ），（ｂ）は同じく縦断面図。
【図４】同じく下駄材と連結部材の取付構造を示す要部の縦断面図。
【図５】起伏状態を示す要部の縦断面図。
【図６】（ａ），（ｂ）は連結部材の取付構造を示す要部の斜視図。
【図７】本発明に係るすのこマットの底面図。
【図８】位置調整後の斜視図。
【図９】収納状態を示す斜視図。
【符号の説明】
【００４３】
１  すのこマット
２  受板部材
３  連結部材
４  下駄材
２０  上面
２１，２１Ａ，２２，２３，２４  受板部材
２５  下面
４０  下駄本体
４１  クッション材
４２  凹部
４３  切欠溝
４４  ビス
４５  取付孔
４６  取付孔
Ｌ１  縦寸法
Ｌ２  横寸法
Ｒ１〜Ｒ５  領域
【図１】
2007282675.tif 000003
【図２】
2007282675.tif 000004
【図３】
2007282675.tif 000005
【図４】
2007282675.tif 000006
【図５】
2007282675.tif 000007
【図６】
2007282675.tif 000008
【図７】
2007282675.tif 000009
【図８】
2007282675.tif 000010
【図９】
2007282675.tif 000011